(57)【要約】【課題】  デジタルコンテンツの著作権を保護すると共に、アートとしてのデジタルコンテンツを購入した人が作品として出力する際に、出力作品がアーティスト（作者）の意図通りの表現であることを簡単に保障すること。また、作品コピーとしてアーティストが認めたものも簡単に出力できること。【解決手段】  アーティストの創作活動時に用いた画像操作の内容を反映した色処理パラメータ乃至量子化パラメータをあらかじめ生成する。【選択図】  図１
2010135986.tif 000002
【特許請求の範囲】
【請求項１】
アーティストの創作活動時に用いた画像操作の内容を反映した色処理パラメータをあらかじめ生成し、該創作活動にて作成されたデジタルコンテンツと、該色処理パラメータと出力用メディアを作品情報として購入し、作品の出力を行うことを特徴とする出力システム。
【請求項２】
該作品情報が、第一のデジタル認証キーを有するデジタルコンテンツと第二のデジタル認証キーを有する該生成した色処理パラメータと第三の認証キーを有する出力用メディアであることを特徴とする請求項１に記載の出力システム。
【請求項３】
作品コピー情報が、第一のデジタル認証キーを有するデジタルコンテンツと第二のデジタル認証キーを有する該生成した色処理パラメータであることを特徴とする請求項１に記載の出力システム。
【請求項４】
該デジタルコンテンツには、従来の電子透かし技術により、アーティスト名、エディションナンバー、出力日時、出力装置名、コピーガード技術の不正防止の措置が取られていることを特徴とする請求項１〜請求項３のいずれかに記載の出力システム。
【請求項５】
該デジタルコンテンツを出力する際に、色処理パラメータを予め内蔵しているものから該購入した色処理パラメータに切り替えることを特徴とする請求項１〜請求項４のいずれかに記載の出力システム。
【請求項６】
第一のデジタル認証キーと第二のデジタル認証キーと第三の認証キーを比較し、該デジタルコンテンツと該購入した色処理パラメータと該購入した出力用メディアが正しいものであると認証されたときのみ作品の出力が許可されることを特徴とする請求項１〜請求項５のいずれかに記載の出力システム。
【請求項７】
第一のデジタル認証キーと第二のデジタル認証キーを比較し、該デジタルコンテンツと該購入した色処理パラメータが正しいものであると認証されたときのみ作品コピーの出力が許可されることを特徴とする請求項１〜請求項６のいずれかに記載の出力システム。
【請求項８】
アーティストの創作活動時と異なる出力装置にて作品コピーを出力する場合には、アーティストの創作活動時に用いた出力装置のＩＣＣプロファイルと作品コピー購入者が出力予定の出力装置のＩＣＣプロファイルとを関連付けて、デジタルコンテンツを該出力予定の出力装置用のデジタルコンテンツに変換するための合成プロファイルを準備することを特徴とする請求項３又は、請求項４に記載の出力システム。
【請求項９】
該合成プロファイルに第四のデジタル認証キーを付与することを特徴とする請求項８に記載の出力システム。
【請求項１０】
該作品情報が、第一のデジタル認証キーを有するデジタルコンテンツと第二のデジタル認証キーを有する該生成した色処理パラメータおよび量子化処理パラメータと第三の認証キーを有する出力用メディアであることを特徴とする請求項１に記載の出力システム。
【発明の詳細な説明】
【技術分野】
【０００１】
発明は、アーティストの作品を出力する出力システムに関するものである。
【背景技術】
【０００２】
近年、映像、音声、付加価値情報などを含むコンテンツのデジタル化が進んでおり、各種デジタルオーディオに加えデジタル映像機器が開発されている。そのようなデジタル映像機器としては、例えば、ＤＶＤ（Ｄｉｇｉｔａｌ  Ｖｅｒｓａｔｉｌｅ  Ｄｉｓｃ）などといった記録媒体から映像データ、音声データおよび各種付属データを読み出し、それらのデータに基づいてコンテンツを再生する再生装置や、デジタル衛星放送、デジタル地上波放送などといった伝送媒体から映像データ、音声データおよび各種付属データを受信し、それらのデータに基づいてコンテンツを再生する受信装置などがある。
【０００３】
このようにコンテンツのデジタル化が急速に発展するに伴い、デジタルコンテンツの著作権保護に関しての多様な技術が公開されはじめている。
【０００４】
最初にコンテンツのデジタル化が広まったデジタルオーディオの分野では、データの完全性を保証するためのさまざまな手法が確立されている。例えば、チェックサムに依存したエラー訂正技術の利用など。しかしながら、これらの技術は、例えばＣＤプレイヤなどのデバイスによって生成されたデジタル信号が、正確な伝送であることや、ＣＤ内に保存されたデータなど、ソースからの再生物であることを保証するように設計されている。これは、元のＣＤにアクセスすることなく、そのＣＤから作成された複製物が、元のＣＤの完全な再生物であるかどうかを検出できることとは異なる。
【０００５】
この問題（デジタルデータ製作品の完全性が傷つけられているかどうかという問題）を解決するために、デジタル署名と呼ばれる技術がある。デジタル署名は、デジタル情報の完全性を確認するため、特に、離れた場所間を送信されたデジタル情報の完全性を検証するために、広く用いられている手法である。現在、デジタルデータ製作品のデータファイルのヘッダへ、シンプルな署名を含めることが可能である。ヘッダは、通常、いかなるコンテンツの改ざんがあろうとも、それが必ずチェックサムにミスマッチが生じるように、データファイルのコンテンツに基づいたチェックサムを含む。ミスマッチは容易に検出でき、改ざんの検出が可能となる。しかしながら、ヘッダのチェックサムを除去することは比較的容易であり、そうした場合、データの完全性は確立できなくなる。
【０００６】
そこで、デジタルデータ製作品の完全性或いは確実性を確証可能なデジタルデータ製作品を認証する方法が提案されている。この方法は、不変な製作品のために唯一の署名を判断することと、いくつかの方式によってこの署名を逆にして有る程度まで不変な製作品に埋め込んで該製作品が実際に自己を変更することとを提案している（特許文献１参照）。
【０００７】
さらにデジタル映像機器は、コンテンツをデジタルデータとして取り扱うため、コンテンツのデジタルデータを利用した様々な付加機能を有している。そのようなデジタル映像機器として、コンテンツ（またはその一部）をプリンタで印刷する機能を有するものが提案されている（特許文献２参照）。
【０００８】
放送されるコンテンツや、記録媒体に記録されて頒布されるコンテンツには、複製、加工などの行為を著作権に基づき禁止しているものが多い。また、コンテンツの中には、著作権が多数の者に帰属するものがあったり、複製、加工などの行為を許諾しているものがあったりする。
【０００９】
このように、頒布されているコンテンツは著作権により保護されている場合が多いが、上述のような印刷システムでは、取得したコンテンツ（またはその一部）が、著作権に何ら配慮することなく印刷されてしまうという問題がある。
【００１０】
このような問題を鑑みて、取得したコンテンツ（またはその一部）が著作権に配慮した状態で印刷されるようにし、直接的または間接的に著作権を保護することができる印刷装置、受信装置、中継装置、印刷システムおよび印刷方法についても提案されている（特許文献３参照）。
【００１１】
また、著作権付き画像を暗号化し、プリントする際には、著作者に著作料を支払い、その利用許可を得ることができる印刷システムおよび印刷方法も提案されている（特許文献４参照）。
【特許文献１】特表２００３−５１０９２５号公報
【特許文献２】特開２００２−２３２８１５号公報
【特許文献３】特開２００３−６３０９３号公報
【特許文献４】特開２００４−２６５２１６号公報
【発明の開示】
【発明が解決しようとする課題】
【００１２】
上述のようにデジタルコンテンツの著作権の保護に関しては、一般に広まっているデジタルオーディオ分野だけでなく、今後広まるであろうデジタルコンテンツからの印刷出力分野においてもいくつもの提案がなされている。
【００１３】
しかしながら、これら提案されている技術は単にデジタルコンテンツの著作権を保護できるだけであり、コンテンツ製作者が意図した通りの印刷出力を保障できるものではない。そのため、一般にアーティストと呼ばれる人々から見ると、デジタルコンテンツからの出力物が自分の意図通りの表現ができているのか信頼できないため自己のアート作品と呼ぶことができず、デジタルアートの世界の発展にとって大きな障害となっている。
【００１４】
本発明は、上述の課題を鑑みて提案するものであり、デジタルコンテンツの著作権を保護すると共に、アートとしてのデジタルコンテンツを購入した人が作品として出力する際に、出力作品がアーティスト（作者）の意図通りの表現であることを簡単に保障することを目的としており、該目的を達成できる出力装置および出力システムに関するものである。
【００１５】
次に、該課題についてより具体的に説明する。現状、デジタルコンテンツを購入した人が、ホストコンピュータ上でデジタルコンテンツを確認しプリンタなどの出力装置で出力する場合、コンテンツデータの出力のための色処理は予めプリンタあるいはプリンタドライバ等の処理部に内蔵されているパラメータあるいは計算式を用いることになる。
【００１６】
該内蔵されている色処理パラメータは出力に際しより鮮やかに見えるようにしたり、グレーや肌色など記憶色などがより記憶色に忠実に見えるようにするなど、プリンタメーカーによって特殊な処理がなされている。
【００１７】
また、該内蔵されている色処理パラメータを変更することは特殊なツール環境が必要であり一般ユーザーでの変更はできない。
【００１８】
しかしながら、アーティストにとっては該プリンターメーカーが施している特殊な処理が自己の期待通りの出力と異なる結果をもたらすことや、該プリンタが内臓する色処理パラメータでは対応できないメディアを用いて出力させたい場合には色が正しく再現できないことなどの重要な課題が発生する。
【００１９】
また、一般的に銀塩写真の世界でモノクロと呼ばれる無彩色主体の作品製作においては、そのモノクロ画像における粒子による陰影や階調の表現も重要である。
【００２０】
アーティストが求める該粒子の見た目（以降、粒状感と呼ぶ）に対し、該プリンタの量子化処理により発生する粒状感が違いすぎると言う課題も発生する。
【００２１】
また、元来アート作品には、オリジナル作品、エディションナンバー付の作品コピー、作品とは呼べないが雰囲気を楽しむためのポスターやカードなどが存在する。これらは購入価格も大きく異なる。
【００２２】
アートとしてのデジタルコンテンツはオリジナルだが、作品としての出力物に対してもオリジナル作品と認められるもの、作品コピーとして認められるもの、ポスターやカードなどの作成を許可するものを正しく販売できることも重要となる。
【課題を解決するための手段】
【００２３】
本発明は以上の問題点に対して鑑みてなされたもので、アーティストの創作活動時に用いた画像操作の内容を反映した色処理パラメータをあらかじめ生成することを特徴とする。
【００２４】
また、アーティストの創作活動時に求められた粒状感に近づけた量子化処理パラメータをあらかじめ生成することを特徴とする。
【００２５】
作品を購入する人は、作品情報として第一のデジタル認証キーを有するデジタルコンテンツと第二のデジタル認証キーを有する該生成した色処理パラメータと第三の認証キーを有する出力用メディアを購入することを特徴とする。
【００２６】
作品を購入する人は、作品情報として第一のデジタル認証キーを有するデジタルコンテンツと第二のデジタル認証キーを有する該生成した量子化処理パラメータと第三の認証キーを有する出力用メディアを購入することを特徴とする。
【００２７】
作品を購入する人は、作品情報として第一のデジタル認証キーを有するデジタルコンテンツと第二のデジタル認証キーを有する該生成した色処理パラメータおよび該生成した量子化処理パラメータと第三の認証キーを有する出力用メディアを購入することを特徴とする。
【００２８】
作品コピーを購入する人は、作品コピー情報として第一のデジタル認証キーを有するデジタルコンテンツと第二のデジタル認証キーを有する該生成した色処理パラメータのみの購入でもよいことを特徴とする。
【００２９】
作品コピーを購入する人は、作品コピー情報として第一のデジタル認証キーを有するデジタルコンテンツと第二のデジタル認証キーを有する該生成した量子化処理パラメータのみの購入でもよいことを特徴とする。
【００３０】
作品コピーを購入する人は、作品コピー情報として第一のデジタル認証キーを有するデジタルコンテンツと第二のデジタル認証キーを有する該生成した色処理パラメータおよび該生成した量子化処理パラメータのみの購入でもよいことを特徴とする。
【００３１】
該デジタルコンテンツには、従来の電子透かし技術などにより、アーティスト名、エディションナンバー、出力日時、出力装置名、コピーガード技術など不正防止の措置が取られていることを特徴とする。
【００３２】
作品乃至作品コピーを購入した人がプリンタで該デジタルコンテンツを出力する際には、色処理パラメータを予め内蔵しているものから該購入した色処理パラメータに切り替えることを特徴とする。
【００３３】
作品を購入した人のプリンタもしくはプリンタドライバにて第一のデジタル認証キーと第二のデジタル認証キーと第三の認証キーを比較し、該デジタルコンテンツと該購入した色処理パラメータと該購入した出力用メディアが正しいものであると認証されたときのみ出力が許可されることを特徴とする。
【００３４】
作品コピーを購入した人のプリンタにてもしくはプリンタドライバにて第一のデジタル認証キーと第二のデジタル認証キーを比較し、該デジタルコンテンツと該購入した色処理パラメータが正しいものであると認証されたときのみ出力が許可されることを特徴とする。
【００３５】
アーティストの創作活動時と異なる出力装置にて作品コピーを出力する場合には、アーティストの創作活動時に用いた出力装置のＩＣＣプロファイルと作品コピー購入者が出力予定の出力装置のＩＣＣプロファイルとを関連付けて、デジタルコンテンツを該出力予定の出力装置用のデジタルコンテンツに変換するための合成プロファイルを準備することと、該合成プロファイルに第四のデジタル認証キーを付与することを特徴とする。
【発明の効果】
【００３６】
以上説明したように、本発明によれば、デジタルコンテンツの著作権を保護すると共に、アートとしてのデジタルコンテンツを購入した人が作品として出力する際に、出力作品がアーティスト（作者）の意図通りの表現であることを簡単に保障することができる。また、作品コピーとしてアーティストが認めたものも簡単に出力できる。
【００３７】
さらには、出力作品にもエディションナンバーを設けて販売することも可能なため、デジタルアートの流通に幅が広がり、よりデジタルアートの世界が発展することも期待できる。
【発明を実施するための最良の形態】
【００３８】
次に、本発明の詳細を実施例の記述に従って説明する。
【００３９】
図４は、本発明を実施するにあたり、アートとしてのデジタルコンテンツの出力に用いるインクジェット記録装置等の画像処理装置における一般的な画像信号処理部分を示すブロック図である。
【００４０】
図４に示した各処理において、一部あるいは全部の処理を前記画像処理装置本体で行う場合や、ホストコンピュータ上で行い、前記画像処理装置に送信する場合があるが、本実施形態では図４に示した全部の処理を前記ホストコンピュータ上で行う場合を説明する。しかし以下の説明はこれに限定されるものではなく、前者の場合でも良い。
【００４１】
図４に示した処理は図５中のホストコンピュータ１００で処理が行われ、インターフェース部（以下Ｉ／Ｆ部）３０６に印字データとして送信される。図５は、詳細説明は割愛するがインクジェット記録装置のデータ処理、動作処理に関する一般的な構成図である。
【００４２】
スキャナで読みとることにより、あるいはコンピュータの処理等によって得られたＲ、Ｇ、Ｂの原画像信号は、色処理部Ａ４０によりＲ’、Ｇ’、Ｂ’に変換される。この処理は原画像信号から、例えば上述のインクジェット記録装置に適応した画像信号への変換である。次にこのＲ’、Ｇ’、Ｂ’は色処理部Ｂ４１で各色インクに対応した信号値に変換される。本実施形態では６色インク構成であるため前記信号値は濃シアン、濃マゼンタ、濃イエロー、濃ブラック、淡シアン、淡マゼンタの濃度信号Ｃ１、Ｍ１、Ｙ１、Ｋ１、ＬＣ１、ＬＭ１の夫々になる。
【００４３】
次にガンマ（γ）補正部４２ではガンマ補正テーブルを用いてガンマ補正を行い、この補正後の画像濃度信号Ｃ２、Ｍ２、Ｙ２、Ｋ２、ＬＣ２、ＬＭ２は量子化処理部４３で各々量子化処理を施し、印字ヘッド１Ｃ、１Ｍ、１Ｙ、１Ｋ、１ＬＣ、１ＬＭに転送する画像信号Ｃ３、Ｍ３、Ｙ３、Ｋ３、ＬＣ３、ＬＭ３を生成する。なお、量子化部４３で用いる量子化の手法は、例えば誤差拡散処理法が多用されている。
【００４４】
誤差拡散処理法は各画素の濃度信号に対するしきい値を異ならせたり、誤差の配分係数を異ならせたり、ノイズを与えたりして量子化を行う方法である。元来、人間の目の視感度特性は、低周波数成分に敏感になっているので、低周波成分が抑えられた特性をもつ画像が視覚的に好ましい。
【００４５】
誤差拡散法で量子化した場合には、そのドット配置の空間周波数特性が低周波数成分を抑えたものとなっている。
【００４６】
他には、ディザ法を用いることができる。ディザ法は、各画素の濃度信号に対するしきい値を異ならせた所定のディザパターンにより量子化を行う方法である。
【００４７】
さらに、従来のディザ法で用いられていた閾値マトリクスのサイズを大きくして階調再現能力を向上させ、粒状感に関しても量子化後のドット配置がブルーノイズ特性を持つようにすることで良好な画像品質が得られることが知られるようになった。
【００４８】
ブルーノイズとは、Ｒ．Ｕｌｉｃｈｎｅｙ著の「Ｄｉｇｉｔａｌ  Ｈａｌｆｔｏｎｉｎｇ」によるとドットの配列を空間周波数で見た時に、低周波数成分が抑えられていることと高周波数側で急激な立ち上がりピークを持っている。つまりこのブルーノイズ特性を有する閾値マスクで量子化した画像は、誤差拡散法と同様にノイズ感が少なくなめらかに感じられる。
【００４９】
また、図６に示すように色処理部Ａ４０より前に、色処理部Ａ’４４を設け、この色処理部Ａ’４４によってＬＵＴを作成してもよい。その結果、このＬＵＴと色処理部Ａ４０，及び色処理部Ｂ４１の３つの処理を経て、印字ヘッド群（１Ｋ、１Ｃ、１Ｍ、１Ｙ、１ＬＣ、１ＬＭ）に出力する画像信号を形成する。ここでは色処理部Ａ４０は標準的な色空間への変換を行う部分と位置づける。一例としてはｓＲＧＢで表現される色空間から記録メディアの色再現範囲に変換が上げられる。つまりは、出力装置（インクジェット記録装置など）のインクと出力メディア（紙など）の発色特性とｓＲＧＢ色空間との橋渡しをする部分になる。
【００５０】
色処理部Ａ’４４では特定の処理のみ行う。一例として肌色あるいは植物の緑色等を所望の色相に変更する場合を説明する。肌色の場合、イエローあるいはレッド、マゼンタ周辺の色味を変更することになる。つまり、元データのＲＧＢ値をＲ’Ｇ’Ｂ’に変換した後に、上記画像編集ソフトウェアでレッドの色相をマゼンタよりにしたりあるいは逆にイエローよりにすることで所望の肌色再現をさせる。
【００５１】
このように作成したＬＵＴを複数個用意すれば出力装置の出力条件によって使い分けることが可能である。
【００５２】
図１に本実施形態における色処理パラメータの作成処理のフローチャートを示す。
【００５３】
まず所望の画像を画像編集ソフトウェア等に読み込み、読み込んだ画像に対してガンマ曲線、色相、コントラスト等の画像操作を行う（ステップＳ１）。次に色空間に対して、ステップＳ１において行った画像操作を行い、図４に示す色処理部Ａ４０で用いるＬＵＴを作成する（ステップＳ２）。
【００５４】
ステップＳ２における処理を具体的に説明する。画像データの色空間（情報）がＲＧＢデータの場合を例にとり説明すると、ＲＧＢ各８ｂｉｔとした場合それぞれ、Ｒ＝０〜２５５、Ｇ＝０〜２５５、Ｂ＝０〜２５５の値をとる。前述のＬＵＴはこれらＲ，Ｇ，Ｂがとる値の全ての組み合わせ（２５６の３乗点の組み合わせ）をすべて持っている訳ではなく、Ｒ、Ｇ、Ｂそれぞれを９分割あるいは１７分割した際のＲ，Ｇ，Ｂの組み合わせたデータを有している。即ち９分割の場合９の３乗＝７２９点、１７分割の場合１７の３乗＝４９１３点のデータを有することになる。これらの点以外は補間計算によって求められる。補間計算は四面体補間や立方体補間等が公知の方法として知られている。
【００５５】
本実施形態では上記ＲＧＢを夫々１７分割し、夫々の組み合わせを用いた４９１３色のパッチを用いる。これはＲ＝Ｇ＝Ｂ＝０からＲ＝Ｇ＝Ｂ＝２５５までの４９１３通りのＲＧＢ値それぞれを一つ一つのパッチに割り当てたものである。このパッチ群を図２に示す。同図は左端がＲ＝Ｇ＝Ｂ＝０で始まりＢを０から２５５まで１６ずつ順次変化させ、次にＧを０から２５５まで１６ずつ、最後にＲを０から２５５まで１６ずつ変化させることで右端のＲ＝Ｇ＝Ｂ＝２５５まで４９１３個のパッチが並んでいる。パッチ自身のサイズはここでは最小の１画素×１画素としてある。パッチのサイズは小さい方がファイル容量が小さくなり、少ないメモリ上でも本実施形態でも処理が実行できる。図２に示したパッチ群に上述の画像操作で行ったものと同一の処理を施す。パッチ中のＲＧＢデータは前記処理により変換されＲ’Ｇ’Ｂ’データになる。これはＲＧＢ色空間に対し色調調整あるいはガンマ補正を施したことと同一であり、Ｒ’Ｇ’Ｂ’データは図４の色処理部Ａ４０を経て変換されたことと同じになる。即ち図２に示したパッチ群に画像操作を施しその結果を色処理部Ａ４０で用いるＬＵＴの形式に保存する（ステップＳ３）事により所望の画像操作を行った色処理パラメータ（ＬＵＴ）が作成できたことになる。
【００５６】
ステップＳ３における色処理データの保存方法としての一例を、変換されたＲ’Ｇ’Ｂ’データを３列に並べたテキストデータとして図３に示した。実際にデータとして用いられるのは左の３列であるＲ’，Ｇ’、Ｂ’である。これらデータ部の並びが分かりやすいように右側の４列は左からデータ番号、Ｒ、Ｇ、Ｂを記載してある。データ番号はデータの続き番号であり、上述の色処理パラメータ固有のインデックスである。またＲ、Ｇ、Ｂは色処理部Ａ４０による色処理前のＲＧＢデータを示しており、各色均等に１７分割された値が入っている。右側の４列は実際の色処理には使われないので、前記色処理パラメータ（ＬＵＴ）に変換する際はなくても良い。このＬＵＴはテキスト形式で表したがバイナリ形式に変換しても良いし、上記保存時にデータ圧縮された形式に変換しても良く、色処理部Ａ４０で読みとり可能なファイル形式であればデータの形式は問わない。
【００５７】
なお図２に示したパッチ部分の濃さは実際のパッチの色の濃さとは無関係であり図面上となりのパッチと画像信号値が異なることを説明しているだけである。
【００５８】
またパッチ数はＲＧＢデータの分割数を９分割にした７２９点やそれ以外のものでも構わない。また補間計算が可能であれば上記パッチ群の数と色処理部Ａ４０のデータ数が異なっていても構わない。
【００５９】
図１３に本実施形態における量子化方法が誤差拡散方法の場合を示す。
【００６０】
誤差拡散法は、入力画素と出力画素との積算誤差を２次元的に清算して行くものである。
【００６１】
図１３において、入力画素Ｉｘｙ（多値信号）の周辺に生じた量子化誤差Ｅｘｙに、誤差配分器１３４により誤差バッファメモリ１３３に格納された誤差拡散マトリクスに基づく誤差配分係数Ｋｋｌを乗算して重みづけを行い、次式の積算誤差Ｓｘｙを求める。
【００６２】
拡散マトリクス内の各画素に対する誤差配分係数Ｋｋｌは、Ｘを注目画素、ｋ，ｌを拡散マトリクス内の座標とすると、
【００６３】
【数１】
2010135986.tif 000003
となる。従って、積算誤差Ｓｘｙは、
Ｓｘｙ＝（１／ΣＫｋｌ）Σｋｌ・Ｅｘ−ｙ，ｙ−１
となる。
【００６４】
次に積算誤差Ｓｘｙを入力補正手段４０を介してＩｘｙに繰り入れ、補正値Ｉ′ｘｙを得る。ここで、補正値Ｉ′ｘｙは、
Ｉ′ｘｙ＝Ｉｘｙ＋Ｓｘｙ
である。
【００６５】
次に、比較器１３１でＩ′ｘｙを閾値信号Ｔと比較してｎ値化を行い、ｎ値信号Ｐｘｙを出力する。このときの誤差Ｅｘｙは、差分演算手段１３２で求められ、その値は、
Ｅｘｙ＝Ｉ′ｘｙ−Ｐｘｙ
となる。
【００６６】
閾値信号Ｔは、図１４の入力画像レベルと量子化レベルの関係を示すグラフに従って決定される。具体的には、
０≦Ｉ′ｘｙ＜６４の場合、Ｔ＝３２であり、
Ｔ＜Ｉ′ｘｙの時の量子化レベルは１、
Ｔ≧Ｉ′ｘｙの時の量子化レベルは０、
６４≦Ｉ′ｘｙ＜１２８の場合、Ｔ＝９６であり、
Ｔ＜Ｉ′ｘｙの時の量子化レベルは２、
Ｔ≧Ｉ′ｘｙの時の量子化レベルは１、
１２８≦Ｉ′ｘｙ＜１９２の場合、Ｔ＝１６０であり、
Ｔ＜Ｉ′ｘｙの時の量子化レベルは３、
Ｔ≧Ｉ′ｘｙの時の量子化レベルは２、
１９２≦Ｉ′ｘｙ≦２５５の場合、Ｔ＝２４４であり、
Ｔ＜Ｉ′ｘｙの時の量子化レベルは４、
Ｔ≧Ｉ′ｘｙの時の量子化レベルは３、
となる。
【００６７】
次に、図１５に本実施形態における量子化方法がディザ法の場合を示す。
【００６８】
Ｇｘｙは入力画像中の座標（ｘ，ｙ）における画素のレベルである。この画素に対する閾値Ｔｘｙがディザマトリクスで規定された値をとる。すなわち、比較器１５０の比較結果で、Ｇｘｙ＞Ｔｘｙの時は、Ｂｘｙ＝１となり座標（ｘ，ｙ）におけるドットはオンになる。一方、Ｇｘｙ≦Ｔｘｙの時は、Ｂｘｙ＝０となり座標（ｘ，ｙ）におけるドットはオフになる。
【００６９】
図１６は、ディザ処理の原理を表したものである。図中１１０は入力画像、１１１はディザマトリクス、１１２は出力データを表わしている。
【００７０】
画像データ１１０の画素値とディザマトリクス１１１の各閾値を比較し、画像データの値が大きい場合を１、以下である場合を０として２値化して出力データ１１２が得られる。
【００７１】
図１７は、本実施形態で用いるディザマトリクスの一部を示す。
【００７２】
図１７中の各閾値セルのサイズは、副走査方向６００ｄｐｉ×主走査方向６００ｄｐｉとなっている。
【００７３】
また、図１７（ａ）のディザマトリクスはＭ１１、Ｍｘｙで示されるサブマトリクス構成を有している。そして、図１７（ｂ）に示す順序で、サブマトリクス内のドットが配置される。
【００７４】
すなわち、ディザマトリクスの閾値は、視覚的に好ましいドット配置により決定された順序に従い、まずサブマトリクスの１を埋め、全てのサブマトリクスの１の位置の閾値を決定したら次に２を埋め、順次３，４と閾値を埋めてゆく。
【００７５】
ただし、サブマトリクス内のドット付与の順序は本実施形態で示したものに限定されず、異なる順序としても良い。さらに各サブマトリクス間でその順序を異なるものとしても良い。あるいは、色別に異なるものとしても良い。
【００７６】
従って、この場合では２５６×２５６サイズのディザマトリクスを作成するには、サブマトリクスに対応した１２８×１２８サイズで視覚的に好ましいドット配置を決定し、配置順序でサブマトリクスの１〜４までの閾値を決定すれば良い。
【００７７】
具体的には、画素のグレイレベルが２５％の画像では各サブマトリクスの１の部分がドットオンとなり、５０％の画像では各サブマトリクスの１および２の部分がドットオンとなり、７５％の画像では各サブマトリクスの１、２および３の部分がドットオンとなり、１００％画像ですべての部分がドットオンとなる。
【００７８】
本実施形態の閾値マトリクスでは、閾値として０〜２５５まで１ステップ刻みの値をとる。このときサブマトリクス１の部分で分配される閾値は０〜６３、サブマトリクス２の部分で分配される閾値は６４〜１２７、サブマトリクス３の部分で分配される閾値は１２８〜１９１、サブマトリクス４の部分で分配される閾値は１９２〜２５５となる。
【００７９】
例えば、閾値が２５５の場合には、Ｇｘｙ＝２５５の時にＢｘｙ＝１となり座標（ｘ，ｙ）におけるドットはオフになる。
【００８０】
以上述べたようなディザ処理を行うことにより、視覚的好ましさから決定された乱数的なドット配置は維持される。
【実施例１】
【００８１】
本発明の第一実施例は、アーティストが作品表現のために所望する出力用メディアが通常市販されている出力装置用のメディアでない場合である。
【００８２】
図７に第一実施例におけるアーティストの作業フローを示す。
【００８３】
アーティストはイメージ通りの作品表現のためのメディアを選択する。（ステップ１）
アーティストもしくはアーティストの創作活動時に出力オペレートをサポートする共同作業者が図４に示した色処理部Ａ４０で用いられるルックアップテーブル（以下ＬＵＴ）を作成する。作成作業フローは図１に従う。（ステップ２）
その後、アーティストもしくはアーティストの創作活動時に出力オペレートをサポートする共同作業者は該作成したルックアップテーブルを出力装置における色処理部A40に適用する。（ステップ３）
次に、アーティストは該出力装置を用いながら創作活動を行い、アートとしてのデジタルコンテンツを作成する。（ステップ４）
作品として完成した該デジタルコンテンツには、従来の電子透かし技術などにより、アーティスト名、エディションナンバー、製作日時、製作装置名、コピーガード技術など、デジタルコンテンツ状態での著作権保護措置を施す。（ステップ５）
加えて、出力装置での出力許可を出すときに用いる第一のデジタル認証キーを施す。（ステップ６）
次に、ステップ２にて作成したルックアップテーブルに第二のデジタル認証キーを施す。（ステップ７）
最後に作品購入者がアートとしてのデジタルコンテンツを購入するときに一緒に購入する出力用メディアの表面もしくは裏面もしくはパッケージなどに第三の認証キーを施す。（ステップ８）
これら、著作権保護措置やデジタル認証キーの施し方については、特許文献１〜特許文献４で提案されている技術を用いればよい。
【００８４】
図８に、アートとしてのデジタルコンテンツを購入した人が作品を出力する場合の出力装置におけるフロー図を示す。
【００８５】
まず、アートとしてのデジタルコンテンツを出力作品として購入した人には、作品情報として第一のデジタル認証キーを有するデジタルコンテンツと第二のデジタル認証キーを有する該生成した色処理パラメータと第三の認証キーを有する出力用メディアが届けられる（ステップ１）。購入形態としては、インターネットからのダウンロードや記録メディアの郵送などいずれであってもかまわない。
【００８６】
作品情報を購入した人がプリンタで該デジタルコンテンツを出力する際には、プリンタもしくはプリンタドライバにて各々の認証キーを解凍して比較し、該デジタルコンテンツと該購入した色処理パラメータと該購入した出力用メディアが正しく購入されたものであるかどうかを判断する。（ステップ２）
第一、第二の認証キーはデジタル情報になっているので、プリンタもしくはプリンタドライバにてすぐに取り扱えるが、出力用メディアが有する第三の認証キーは、プリンタが装備しているスキャナにて読み込むか、ユーザーの手動にてプリンタもしくはプリンタドライバに入力してやればよい。
【００８７】
そして、該デジタルコンテンツと該購入した色処理パラメータと該購入した出力用メディアが正しく購入されたものであると認証されたときのみ出力が許可される。（ステップ３）
出力許可がおりたら、色処理パラメータを予め内蔵しているものから該購入した色処理パラメータに切り替える。（ステップ４）
これによって、アーティスト（作者）の意図通りの表現が出力できる環境が整ったことになり、購入者はプリンタにて作品を出力する。（ステップ５）
第一実施例では色処理部Ａ’４４は使用しない。
【実施例２】
【００８８】
元来アート作品には、オリジナル作品、エディションナンバー付のコピー作品、作品としは呼べないが雰囲気を楽しむためのポスターやカードなどが存在する。これらは購入価格も大きく異なる。本発明の第二実施例では、アートとしてのデジタルコンテンツはオリジナルだが、アーティストが意図した出力用メディアでないものに出力する場合について説明する。第一実施例と大きく異なる点は、購入価格とコピー作品としての格付けである。
【００８９】
すなわち、購入者はアーティストが指定した市販のメディアを用いて出力することになる。手軽な点はよいが、該メディアの量産における色ばらつきが起きることは避けられない。
【００９０】
以下、便宜上第一実施例で言うところの作品と異なっていることをわかりやすくするため、作品コピーという表現を用いる。
【００９１】
図９に第二実施例におけるアーティストの作業フローを示す。
【００９２】
アーティストは一旦、図７に示す第一実施例の作業を実施する。その後、イメージ通りの作品表現はできないが作品コピーのための市販メディアを選択する。（ステップ１）
アーティストもしくはアーティストの創作活動時に出力オペレートをサポートする共同作業者が図４に示した色処理部Ａ４０で用いられるルックアップテーブル（以下ＬＵＴ）を作成する。作成作業フローは図１に従う。（ステップ２）
その後、アーティストもしくはアーティストの創作活動時に出力オペレートをサポートする共同作業者は該作成したルックアップテーブルを出力装置における色処理部A40に適用する。（ステップ３）
次に、アーティストは図７の作業で作成したデジタルコンテンツを出力する。（ステップ４）
出力したものが納得いくかどうか判断する。（ステップ５）
納得がいかない場合は、納得いかない部分の特定の色のみ処理を施す。（ステップ６）該特定の処理は処理部Ａ’４４に適用させる。
【００９３】
納得いく場合は、該デジタルコンテンツに出力装置での出力許可を出すときに用いる第一のデジタル認証キーを施す。（ステップ７）
次に、ステップ２乃至ステップ６にて作成したルックアップテーブルに第二のデジタル認証キーを施す。（ステップ８）
これら、著作権保護措置やデジタル認証キーの施し方については、特許文献１〜特許文献４で提案されている技術を用いればよい。
【００９４】
図１０に、アートとしてのデジタルコンテンツを購入した人が作品コピー（出力メディアが市販のもの）を出力する場合の出力装置におけるフロー図を示す。
【００９５】
まず、アートとしてのデジタルコンテンツを出力作品コピーとして購入した人には、作品情報として第一のデジタル認証キーを有するデジタルコンテンツと第二のデジタル認証キーを有する該生成した色処理パラメータが届けられる（ステップ１）。購入形態としては、インターネットからのダウンロードや記録メディアの郵送などいずれであってもかまわない。
【００９６】
作品情報を購入した人がプリンタで該デジタルコンテンツを出力する際には、プリンタもしくはプリンタドライバにて各々の認証キーを解凍して比較し、該デジタルコンテンツと該購入した色処理パラメータが正しく購入されたものであるかどうかを判断する。（ステップ２）
そして、該デジタルコンテンツと該購入した色処理パラメータが正しく購入されたものであると認証されたときのみ出力が許可される。（ステップ３）
出力許可がおりたら、色処理パラメータを予め内蔵しているものから該購入した色処理パラメータに切り替える。（ステップ４）
これによって、アーティスト（作者）の意図通りの表現が出力できる環境が整ったことになり、購入者はプリンタにて作品コピーを出力する。（ステップ５）
【実施例３】
【００９７】
元来アート作品には、オリジナル作品、エディションナンバー付のコピー作品、作品としは呼べないが雰囲気を楽しむためのポスターやカードなどが存在する。これらは購入価格も大きく異なる。本発明の第三実施例では、アートとしてのデジタルコンテンツはオリジナルだが、出力した場合に作品コピーとも呼べない場合について説明する。第一実施例第二実施例と大きく異なる点は、作品乃至作品コピーとして認められないが雰囲気を楽しむために出力が許可されるものであるという点である。
【００９８】
すなわち、購入者はアートとしてのデジタルコンテンツのみを購入する。アーティストは図７に示す第一実施例の作業を実施しておけばよい。
【００９９】
図１１に、アートとしてのデジタルコンテンツを購入した人が雰囲気を楽しむためにポスターやカードなどとして出力する場合の出力装置におけるフロー図を示す。
【０１００】
まず、アートとしてのデジタルコンテンツを購入した人には、第一のデジタル認証キーを有するデジタルコンテンツが届けられる（ステップ１）。購入形態としては、インターネットからのダウンロードや記録メディアの郵送などいずれであってもかまわない。
【０１０１】
作品情報を購入した人がプリンタで該デジタルコンテンツを出力する際には、プリンタもしくはプリンタドライバにて該認証キーを解凍し、該デジタルコンテンツが正しく購入されたものであるかどうかを判断する。（ステップ２）
そして、該デジタルコンテンツが正しく購入されたものであると認証されたときのみ出力が許可される。（ステップ３）
しかしながら、第三実施例における出力は作品乃至作品コピーとしても認められておらず雰囲気を楽しむためのものである。作品もしくは作品コピーと明らかな差別化が図られている必要がある。
【０１０２】
予め作品として完成した該デジタルコンテンツには、従来の電子透かし技術などにより、アーティスト名、エディションナンバー、製作日時、製作装置名、コピーガード技術など、デジタルコンテンツ状態での著作権保護措置を施されている。
【０１０３】
そこで第三実施例においては、出力の際に出力作品乃至出力作品のコピーとしては認められないが著作権は保護された出力物であるという証明を出力物に目視できるよう出力する。（ステップ４）
【実施例４】
【０１０４】
ここまでの実施例では、一種類のインクジェット記録装置を想定して説明してきた。
【０１０５】
しかしながら異なる出力装置で作品を出力する場合には、異なる出力装置でもアーティストの作業から同様なことを行えばよい。
【０１０６】
第四実施例では、アーティストの創作活動時と異なる出力装置にて作品コピーを出力する場合について説明する。
【０１０７】
はじめにＩＣＣ（International Color Consortium）協会の規約に沿って作成されたディバイスプロファイル（以下「ＩＣＣプロファイル」）について説明する。
【０１０８】
スキャナ、モニタ（ディスプレイ）、プリンタなど出力装置や表示装置など画像を取り扱う装置が多々あるが、これらの単位系が異なっているため、これら装置間でコミュニケーションが取るために共通単位系が必要である。これがＣＩＥＬ＊ａ＊ｂのようなディバイスに依存しないカラースペース（以下単に「色表示Ｌａｂ」という。）に相当する。そして、各ディバイスの単位毎の辞書に相当するのがＩＣＣプロファイルであり、ＩＣＣプロファイルを利用して、カラーマネジメントを実現する仕組みがＩＣＣ準拠のカラーマネジメントシステムＣＭＳである。
【０１０９】
プロファイルは、基本的にヘッダ（Header）、タグテーブル（Tag Table ）、タグエレメントデータ（Tag Element Data）から成る。ヘッダには、例えばプロファイルのサイズ、バージョン、作成日時、ＣＭＭ指定などの情報が記述してある。タグエレメントデータは、カラースペース、ホワイトポイント、ガンマカーブ、３Ｄルックアップテーブルなどのプロファイルの構成要素であり、タグテーブルは、タグエレメントデータの一覧表のようなものであって、どこにどれだけのサイズで何が格納されているかが記述してある。
【０１１０】
図１２を用いてＩＣＣプロファイルを用いた場合の第四実施例を説明する。
【０１１１】
ＩＣＣ準拠のカラーマネジメントシステムＣＭＳは、異なる単位の通訳の役割を果たすが、この通訳は共通単位系しか話せないので、予め辞書を渡しておく必要がある。この場合の微妙な色合わせを司る通訳の中心がカラーマネジメントモジュールＣＭＭであり、近年ではパソコン等のオペレーションシステム（ＯＳ）に組み込まれて供給されていて、この通訳であるカラーマネジメントモジュールＣＭＭに渡す辞書の部分が各ディバイスのＩＣＣプロファイルとなる。
【０１１２】
そこで、ディバイスＡ（アーティストの創作活動時に用いられた出力装置）のＩＣＣプロファイルと、ディバイスＢ（作品コピーの購入者が所有する出力装置）のＩＣＣプロファイルと、の双方を用意して、カラーマネジメントシステムＣＭＳに読み込ませておけば、ディバイスＡ用のデジタルコンテンツを、ディバイスＢ用のデジタルコンテンツに、容易に変換できる。
【０１１３】
この場合のディバイスＡのＩＣＣプロファイルとディバイスＢのＩＣＣプロファイルとを関連づけて、ディバイスＡ用画像データからディバイスＢ用の画像データに変換するための合成プロファイルとして用意しておくこともできる。
【０１１４】
作品コピーの購入者は購入時に出力予定の出力装置名をアーティスト側に連絡すると、第四のデジタル認証キーを備えた該合成プロファイルも同時に購入でき、わずらわしいカラーマネージメントを行う必要がない。
【０１１５】
なお、複数の機器（例えばホストコンピュータ、インタフェイス機器、リーダ、プリンタなど）から構成されるシステムに適用しても、一つの機器からなる装置（例えば、複写機、マルチファンクションプリンタなど）に適用してもよい。
【０１１６】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成される。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれる。
【０１１７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれる。
【０１１８】
本発明を上記記憶媒体に適用する場合、その記憶媒体には、先に説明した（図１に示す）フローチャートに対応するプログラムコードが格納されることになる。
【実施例５】
【０１１９】
本発明の第五実施例は、アーティストが作品表現のために所望する出力用メディアが通常市販されている出力装置用のメディアでない場合であり、さらに通常のプリンタにおける量子化処理により生成されるドット配置がアーティストの望むものと異なる場合がある。
【０１２０】
例えば、モノクロ銀塩写真の表現方法の一つとしての現像時にわざと粒子を粗くする場合などがある。
【０１２１】
第五実施例はこのようなケースを鑑みたものであり、この場合は人間の目の視覚特性に好ましい周波数成分でなく、作品においてアーティストの求める粒状感に近い周波数成分を量子化条件として決定する。
【０１２２】
図１８に第五実施例におけるアーティストの作業フローを示す。
【０１２３】
アーティストはイメージ通りの作品表現のためのメディアを選択する。（ステップ１）
アーティストもしくはアーティストの創作活動時に出力オペレートをサポートする共同作業者が図４に示した色処理部Ａ４０で用いられるルックアップテーブル（以下ＬＵＴ）を作成する。作成作業フローは図１に従う。（ステップ２）
その後、アーティストもしくはアーティストの創作活動時に出力オペレートをサポートする共同作業者は該作成したルックアップテーブルを出力装置における色処理部A40に適用する。（ステップ３）
次に、アーティストは該出力装置を用いながら創作活動を行い、アートとしてのデジタルコンテンツを作成する。（ステップ４）
アーティストもしくはアーティストの創作活動時に出力オペレートをサポートする共同作業者は該デジタルコンテンツに対しての出力結果の粒状感がアーティストのイメージに極力近くなように、図４に示した量子化部４３で量子化処理方法および量子化条件を決定する。（ステップ５）
作品として完成した該デジタルコンテンツには、従来の電子透かし技術などにより、アーティスト名、エディションナンバー、製作日時、製作装置名、コピーガード技術など、デジタルコンテンツ状態での著作権保護措置を施す。（ステップ６）
加えて、出力装置での出力許可を出すときに用いる第一のデジタル認証キーを施す。（ステップ７）
次に、ステップ２にて作成したルックアップテーブルおよびステップ５にて決定した量子化処理情報に第二のデジタル認証キーを施す。（ステップ８）
最後に作品購入者がアートとしてのデジタルコンテンツを購入するときに一緒に購入する出力用メディアの表面もしくは裏面もしくはパッケージなどに第三の認証キーを施す。（ステップ９）
これら、著作権保護措置やデジタル認証キーの施し方については、特許文献１〜特許文献４で提案されている技術を用いればよい。
【図面の簡単な説明】
【０１２４】
【図１】発明を実施するための最良の形態における色処理パラメータの作成処理のフローチャートである。
【図２】パッチ群を示す図である。
【図３】色処理データの保存方法としての一例を示す図である。
【図４】インクジェット記録装置などの画像処理装置における一般的な画像処理信号部分を示すブロック図である。
【図５】発明を実施するための最良の形態において、画像処理を行うシステムの構成を示す図である。
【図６】発明を実施するための最良の形態において、インクジェット記録装置などの画像処理装置における画像処理信号部分を示すブロック図である。
【図７】第一実施例におけるアーティストの作業フロー図である。
【図８】第一実施例における作品を出力する場合の出力装置におけるフロー図である。
【図９】第二実施例におけるアーティストの作業フロー図である。
【図１０】第二実施例における作品を出力する場合の出力装置におけるフロー図である。
【図１１】第三実施例にけるデジタルコンテンツを出力する場合の出力装置におけるフロー図である。
【図１２】ＩＣＣプロファイルを用いた場合の第四実施例の説明図である。
【図１３】本実施形態における量子化方法は誤差拡散方法の場合を示す図である。
【図１４】入力画像レベルと量子化レベルの関係を示すグラフ。
【図１５】本実施形態における量子化方法がディザ法の場合を示す図である。
【図１６】ディザ処理の原理を示す図である。
【図１７】本実施形態で用いるディザマトリクスの一部を示す図である。
【図１８】第五実施例におけるアーティストの作業フロー図である。
【符号の説明】
【０１２５】
４０  色処理部Ａ
４１  色処理部Ｂ
４２  ガンマ（γ）補正部
４３  量子化部
４４  色処理部Ａ’
１００  ホストコンピュータ
１１０  入力画像
１１１  ディザマトリクス
１１２  出力データ
１３１  比較器
１３２  差分演算手段
１３３  誤差バッファメモリ
１３４  誤差配分器
１５０  比較器
３０１  制御部
３０２  ヘッドドライバ
３０３  モータドライバ
３０４  モータドライバ
３０５  紙送り用モータ
３０６  インターフェース部（以下Ｉ／Ｆ部）
３０７  操作部
３１０  ＣＰＵ
３１１  ＲＯＭ
３１２  ＲＡＭ
【図１】
2010135986.tif 000004
【図２】
2010135986.tif 000005
【図３】
2010135986.tif 000006
【図４】
2010135986.tif 000007
【図５】
2010135986.tif 000008
【図６】
2010135986.tif 000009
【図７】
2010135986.tif 000010
【図８】
2010135986.tif 000011
【図９】
2010135986.tif 000012
【図１０】
2010135986.tif 000013
【図１１】
2010135986.tif 000014
【図１２】
2010135986.tif 000015
【図１３】
2010135986.tif 000016
【図１４】
2010135986.tif 000017
【図１５】
2010135986.tif 000018
【図１６】
2010135986.tif 000019
【図１７】
2010135986.tif 000020
【図１８】
2010135986.tif 000021